(57)【要約】【課題】複雑に配管された状態においても、通線及び分岐や配線替えの作業がしやすく、固定も容易な電線管を提供する。【解決手段】筒状の管本体２に、長手方向にスリット４を設け、管本体２の外周面に、長手方向にヒレ状の固定突起５を設けて電線管１を構成し、管本体２と固定突起５とをエラストマーで一体に形成した。【選択図】  図１
2004248379.tif 000002
【特許請求の範囲】
【請求項１】
筒状の管本体に、長手方向にスリットを設け、前記管本体の外周面に、長手方向にヒレ状の固定突起を設けた可撓性を有する電線管。
【請求項２】
前記管本体と前記固定突起とを、エラストマーで一体に形成したことを特徴とする請求項１に記載の電線管。
【発明の詳細な説明】
【０００１】
【発明の属する技術分野】
本発明は、電気設備配線において電線を保護するために用いられる電線管に関する。
【０００２】
【従来の技術】
ビル、工場、住宅などの電気設備配線においては、合成樹脂製の可撓性を有する電線管内に電線を収めて配線することが多い。
【０００３】
近年、電気機器の増加等に伴い、配線が複雑かつ大量になり、また配線の種類も多様化しつつある。したがって、このような複雑多岐な配線について考慮された電線管が提案されている（例えば、特許文献１参照。）。
【０００４】
【特許文献１】
特開昭６１−１９６７０８号公報（第２−５頁、第１図）
【０００５】
【発明が解決しようとする課題】
上記特許文献１に記載の電線管は、可撓性を有する管体を３本並列に並べ、これら３本の管体を可撓性を有する連結部によって連結した構成となっており、これにより、配管がすっきりするという点で配線替えが容易である。
【０００６】
しかしながら、配線が複雑かつ大量になり、また配線の種類も多様化すると、電線管は入りくんで配管されることとなる。このため、複雑多岐な配線について考慮されている上記特許文献１に記載の電線管においても、電線管内に電線を通線したり、分岐や配線替えの際に電線管内から電線を引き抜いたりする場合、電線管が曲がった箇所などにおいて電線が引っかかり、作業が困難な場合があるという問題があった。また、電線管は、例えば輪状の固定具を用いて固定されるが、複雑に配管されている状況においては、このような固定具を用いての固定は困難であった。したがって、配管の複雑化に伴うこれらの問題点を解決した電線管が望まれていた。
【０００７】
本発明の目的は、複雑に配管された状態においても、通線及び分岐や配線替えの作業がしやすく、固定も容易な電線管を提供することにある。
【０００８】
【課題を解決するための手段】
上記目的を達成するために、請求項１に記載の発明に係る電線管は、筒状の管本体に、長手方向にスリットを設け、前記管本体の外周面に、長手方向にヒレ状の固定突起を設けた可撓性を有するものである。
【０００９】
かかる構成により、電線管を、前記スリットが上側に向いた状態で敷設面上に置き、前記固定突起に、例えば釘を打ち込むことにより、敷設面に設置固定する。そして、このようにして設置固定した電線管内に電線を通線する際には、前記スリットを開いて電線管内に電線を入れる。また、分岐や配線替えの際には、スリットを開いて電線管内の電線を取り出す。このように、本発明に係る電線管においては、スリットを開くことにより、電線を出し入れすることができるので、複雑に配管されたとしても、電線の通線及び分岐や配線替えの作業がしやすい。また、電線管の設置固定は、固定突起に、例えば釘を打ち込むことにより行える。このように特別な固定具を用いることなく固定するので、複雑に配管された状態においても電線管を敷設面に容易に固定することができる。
【００１０】
請求項２に記載の発明に係る電線管は、前記管本体と前記固定突起とを、エラストマーで一体に形成したことを特徴とする。
【００１１】
かかる構成から、電線管はエラストマーで形成されているので、適度な硬度を有するとともに適度な可撓性をも有する。このようなことから、電線管内の電線の保護機能に優れると同時に、屈曲させて配管することができ、入りくんだ配管を行える。さらに、エラストマーは弾力性を有する材料であることから、管本体に設けたスリットは、通常の状態では閉じた状態となっており、電線管内から電線が出てしまうおそれがない。
【００１２】
【発明の実施の形態】
以下、本発明に係る電線管の実施の形態の一例について説明する。
図１は、本発明に係る電線管の実施の形態の一例を示す斜視図、図２は図１に示す電線管の端面図、図３は図１に示す電線管の固定突起に釘を打ち込んで敷設面に固定した状態を示す断面図である。
【００１３】
図に示す電線管１は、筒状の管本体２を有していて、該管本体２の中空部３に電線が収められるようになっている。
この管本体２には、長手方向にスリット４が設けられていて、このスリット４から管本体２の中空部３内に電線を出し入れすることができるようになっている。かかるスリット４は、後述のように管本体２がエラストマーで形成され弾力性を有していることから、通常の状態では閉じた状態となっている。
【００１４】
また、前記管本体２の外周面には、長手方向にヒレ状の固定突起５が設けられている。この固定突起５に釘等を打ち込むことにより、電線管１を敷設面に設置固定することができるようになっている。
【００１５】
かかる固定突起５は、本例では対称な位置に２つ設けられていて、電線管１を敷設面に置いたときに、それぞれの固定突起５，５が敷設面と平行となり、釘等を打ち込みやすく、電線管１を敷設面に容易に固定できるようになっている。また、２つ設けることにより、電線管１が敷設面に安定して確実に固定されるようになっている。
【００１６】
そして、このように対称な位置に設けられているそれぞれの固定突起５，５から９０°の位置に、前記スリット４が設けられている。スリット４の位置は、必ずしもこのような位置には限られないが、電線管の設置固定時に、スリット４を開いて電線を入れやすく、また電線管１内に収納した電線を取り出しやすい位置となっていることが望ましい。
【００１７】
固定突起５は、本例では管本体２と一体に形成されている。そして、管本体２及び該管本体２と一体に形成されている固定突起５は、合成樹脂で形成されている。そして、合成樹脂の中でも、特にエラストマーで形成されていることが望ましい。エラストマーが望ましいとした理由は、電線管１の硬度と可撓性を考慮したものである。すなわち、電線管１は中の電線を保護するためのものであるので、かかる電線の保護機能を有効に発揮させるためには、硬度が高い材料で形成することが望ましい。一方、電線管１は、特に近年では複雑に入りくんで配管されることから、曲げることができるよう可撓性をも有することが必要である。しかし、電線管１を、硬度の高い材料で形成すれば、電線の保護機能に優れるものの可撓性が低下し、一方で、可撓性が良好な材料で形成すれば、硬さが損なわれ電線の保護機能が低下する。したがって、電線の保護機能と可撓性との２つの特性のバランスから、本例では、管本体２及び該管本体２と一体に形成されている固定突起５を、両特性を適度に備えたエラストマーで形成したものである。
【００１８】
このような電線管１の設置固定は、以下のようにして行われる。すなわち、電線管１を、図３に示すように、前記スリット４が上側に向いた状態で敷設面６上に置き、前記固定突起５に、例えば釘７を打ち込むことにより、敷設面６に設置固定する。そして、このようにして敷設面６に設置固定した電線管１内に電線を通線する際には、前記スリット４を開いて中空部３内に電線を入れる。また、分岐や配線替えの際には、スリット４を開いて中空部３内の電線を取り出す。
【００１９】
このように、本例の電線管１においては、スリット４を開くことにより、電線を出し入れすることができるので、複雑に配管されたとしても、電線の通線及び分岐や配線替えの作業がしやすい。
【００２０】
また、電線管１の設置固定は、固定突起５に、例えば釘を打ち込むことにより行える。このように特別な固定具を用いることなく固定するので、複雑に配管された状態においても電線管１を敷設面に容易に固定することができる。また、電線管１内の電線を傷つけることなく固定できる。
【００２１】
また、電線管１はエラストマーで形成されているので、適度な硬度を有するとともに適度な可撓性をも有する。このようなことから、電線管１内の電線の保護機能に優れると同時に、屈曲させて配管することができ、入りくんだ配管を行える。さらに、エラストマーは弾力性を有する材料であることから、管本体２に設けたスリット４は、通常の状態では閉じた状態となっており、電線管１内から電線が出てしまうおそれがない。
【００２２】
また、このようにエラストマーで形成された電線管１は、手で持ったときに、弾力性があるために滑りにくく、作業者が施工作業を行いやすい。
【００２３】
なお、配管にあたっては、本例の電線管１を複数用いてもよい。この場合は、複数の電線管１を同一平面上に平行して並べ、隣り合う電線管のそれぞれの固定突起５を重ね合わせ、これに釘打ちすること等により連結して配管してもよい。
【００２４】
また、管本体２は、蛇腹状に形成されていてもよい。この場合、電線管の可撓性が更に向上する。
【００２５】
【発明の効果】
以上説明したように請求項１に記載の発明によれば、複雑に配管されたとしても、電線の通線及び分岐や配線替えの作業がしやすい。また、電線管の設置固定にあっては、特別な固定具を用いることなく固定でき、複雑に配管された状態においても電線管を敷設面に容易に固定することができる。
【００２６】
請求項２に記載の発明によれば、電線管が適度な硬度を有するとともに適度な可撓性をも有する。このようなことから、電線管内の電線の保護機能に優れると同時に、屈曲させて配管することができ、入りくんだ配管を行える。さらに、管本体に設けたスリットは、通常の状態では閉じた状態となっており、電線管内から電線が出てしまうおそれがない。
【図面の簡単な説明】
【図１】本発明に係る電線管の実施の形態の一例を示す斜視図。
【図２】図１に示す電線管の端面図。
【図３】図１に示す電線管の固定突起に釘を打ち込んで敷設面に固定した状態を示す断面図。
【符号の説明】
１      電線管
２      管本体
４      スリット
５      固定突起
【図１】
2004248379.tif 000003
【図２】
2004248379.tif 000004
【図３】
2004248379.tif 000005